(57)【要約】【課題】襟後部における空気の排出操作が容易な空調ウェアを提供する。【解決手段】空調ウェア５は、ウェア本体２１と、送風ファン４１と、襟５１と、を備えている。襟５１の背中側には、左右方向に分かれて挿通孔５２−１，５２−２が形成されている。空調ウェア５は、コード５３と、端部５４，５５の双方に設けられ、且つコード５３の長手方向に沿って移動可能及びコード５３の長手方向における所望の位置で端部５４，５５に係止可能なストッパー５６，５８と、をさらに備えている。【選択図】図１
2020125551.tif 000002
【特許請求の範囲】
【請求項１】
着用者の胴部、胸部、肩部を覆い、下端部が前記胴部に密着可能なウェア本体と、
前記ウェア本体に設けられ、外気を前記ウェア本体と前記着用者との間に送風可能な送風ファンと、
前記ウェア本体に設けられた襟と、
を備え、
前記襟の背中側には、左右に分かれて一対の挿通孔が形成され、
一端が前記一対の挿通孔のうち一方の挿通孔の外側で支持され、
前記一方の挿通孔から前記一対の挿通孔のうち他方の挿通孔に向かって前記襟の内側に挿通されるとともに、前記他方の挿通孔から前記襟の外側に延びる紐部材と、
前記一方の挿通孔から前記襟の外側に延びた前記紐部材及び前記他方の挿通孔から前記襟の外側に延びた前記紐部材の一方又は双方に設けられ、前記紐部材の長手方向に沿って移動可能且つ前記長手方向における所望の位置で前記紐部材に係止可能なストッパーと、
を備える、
空調ウェア。
【請求項２】
前記紐部材は弾性変形可能なゴム紐である、
請求項１に記載の空調ウェア。
【発明の詳細な説明】
【技術分野】
【０００１】
本発明は、空調ウェアに関する。
【背景技術】
【０００２】
近年、屋外のようにエアコンを使用できない環境や、工場や建物内の修理点検現場のようにエアコンの効果が得られにくい環境において、作業者が快適に作業を行うことができるように、作業者が空調ウェアを着用する機会が増えている。空調ウェアは、空調服とも呼ばれ、服に取り付けられた送風機構によって服と着用者の体の表面との間に外気を取り入れ、着用者の体の表面に風を流し、汗を気化させ、気化熱によって体を冷ますことができるように構成されている。
【０００３】
例えば、特許文献１には、着用者の首後部と襟後部との間を流通する冷却風を外部に排出する空気排出口の開口度を調整する空気排出口調整機構が設けられた空調ウェアが開示されている。特許文献１に記載されている空調ウェアは、空気排出口調整機構として、留め具が設けられた帯状の端部が襟後部に取り付けられた調整ベルトと、留め具を取り付け可能な係合部とを備えている。この空気排出口調整機構では、端部から留め具までの調整ベルトの長さを調整ベルトが取り付けられた位置から係合部までの空調服に沿った距離よりも短くし、留め具を係合部に取り付けることによって、空気排出口が形成される。
【先行技術文献】
【特許文献】
【０００４】
【特許文献１】特開２０１８−１４１２５９号公報
【発明の概要】
【発明が解決しようとする課題】
【０００５】
しかしながら、特許文献１に記載されている空調ウェアでは、調整ベルト及び係合部が襟後部の内側、即ち着用者に対面するように設けられている。このことによって、着用時には着用者の手が調整ベルト及び係合部に届きにくく、空気排出口の開閉及び空気排出口の大きさの調整に手間がかかり、襟後部からの空気の排出操作が面倒であるという問題があった。例えば、空気排出口を調整するために、着用者は空調服を一旦脱ぐ必要があった。
【０００６】
本発明は、上述の事情に鑑みてなされたものであり、襟後部における空気の排出操作が容易な空調ウェアを提供する。
【課題を解決するための手段】
【０００７】
本発明の空調ウェアは、着用者の胴部、胸部、肩部を覆い、下端部が前記胴部に密着可能なウェア本体と、前記ウェア本体に設けられ、外気を前記ウェア本体と前記着用者との間に送風可能な送風ファンと、前記ウェア本体に設けられた襟と、を備え、前記襟の背中側には、左右に分かれて一対の挿通孔が形成され、一端が前記一対の挿通孔のうち一方の挿通孔の外側で支持され、前記一方の挿通孔から前記一対の挿通孔のうち他方の挿通孔に向かって前記襟の内側に挿通されるとともに、前記他方の挿通孔から前記襟の外側に延びる紐部材と、前記一方の挿通孔から前記襟の外側に延びた前記紐部材及び前記他方の挿通孔から前記襟の外側に延びた前記紐部材の一方又は双方に設けられ、前記紐部材の長手方向に沿って移動可能且つ前記長手方向における所望の位置で前記紐部材に係止可能なストッパーと、をさらに備える。
【０００８】
本発明の空調ウェアでは、着用状態で、着用者が外側から紐部材を把持しつつ、ストッパーの位置を首に近づけるように移動させることができる。このように着用者が空調ウェアの外側から紐状部材及びストッパーを操作することによって、通常の着用状態のときウェア本体が着用者の主に肩部に密着している基本密着状態が崩れ、ウェア本体の背中側から襟の背中側にかけて上下に亘る空気排出口が開口する。送風ファンによってウェア本体と着用者との間に送風された外気は、襟後部に開口した空気排出口から着用者の後頭部に排出され、その過程において着用者の上半身が冷却される。逆に、着用者が外側から紐部材を把持しつつ、ストッパーの位置を首から遠ざけるように移動させれば、ウェア本体と着用者との基本密着状態に近づき、空気排出口が閉じつつ襟の背中側に排出される外気の量が調節される。したがって、襟後部での空気の排出操作が容易になる。
【０００９】
本発明の空調ウェアでは、前記紐部材は弾性変形可能なゴム紐であってもよい。
【００１０】
本発明の空調ウェアでは、紐部材がゴム紐であるため、着用状態において着用者が外側から紐状部材を把持しつつ、ストッパーの位置を首に近づけるように移動させたときに、ゴム紐が首の後側に追従して弾性変形し、着用者に対して良好にフィットする。
【発明の効果】
【００１１】
本発明の空調ウェアによれば、襟後部における空気の排出操作が容易になる。
【図面の簡単な説明】
【００１２】
【図１】本発明の一実施形態の空調ウェアの正面図である。
【図２】図１に示す空調ウェアにおいて紐状部材とストッパーを開放している状態の一部を破断した正面図である。
【図３】図１に示す空調ウェアにおいて紐状部材とストッパーを閉めている状態の一部を破断した正面図である。
【図４】図１に示す空調ウェアの変形例の一部を示す側面図である。
【発明を実施するための形態】
【００１３】
以下、本発明の空調ウェアの好ましい実施形態について、図面を参照して説明する。
【００１４】
本発明の一実施形態の空調ウェア５は、エアコンを使用できない環境や、エアコンの効果が得られにくい環境において、着用者が快適に作業を行うことができるように構成されている。空調ウェア５は、ウェア本体２１と、送風ファン４１と、襟５１と、コード（紐部材）５３と、ストッパー５６，５８と、を備えている。
【００１５】
以下、図１に示すように空調ウェア５を正面から見たときの前側、後側、左側、右側、上側、下側をそれぞれ、単に「前側」、「後側」、「左側」、「右側」、「上側」、「下側」という。また、前側と後側とを結ぶ方向を前後方向とし、左側と右側とを結ぶ方向を左右方向とし、上側と下側とを結ぶ方向を上下方向とする。
【００１６】
図１に示すように、空調ウェア５は、例えば長袖の上着である。ウェア本体２１は、図１では不図示の着用者の胴部、胸部及び肩部を覆う。ウェア本体２１の前側には、上下方向に沿って線ファスナー３１が設けられている。空調ウェア５は、線ファスナー３１によって前側で開閉可能に構成されている。
【００１７】
ウェア本体２１の裾部（下端部）２５は、着用者の胴部の周方向に沿って袋とじされている。裾部２５には、コード挿通部２６が設けられている。コード挿通部２６の前側において線ファスナー３１を挟んで周方向の両側に、コード取出口２７，２７が形成されている。周方向のコード取出口２７，２７の間のコード挿通部２６には、コード２８が挿通している。コード２８の周方向の端部２９は、コード取出口２７，２７のそれぞれからウェア本体２１の外部、即ち図１の紙面の手前側に取り出され、閉じられている。端部２９，２９には、ストッパー３０，３０が設けられている。
【００１８】
着用者がストッパー３０の係止状態を解除して把持した状態で、端部２９をコード挿通部２６から引き出し、ストッパー３０を再び係止状態にして適宜留めると、コード挿通部２６が着用者の胴部に密着する。着用者がストッパー３０の係止状態を解除して把持した状態で、コード２８をコード挿通部２６に戻し入れ、ストッパー３０を再び係止状態にして留めると、コード挿通部２６が緩み、コード挿通部２６と着用者の胴部との間に隙間が生じる。
【００１９】
ウェア本体２１の左側及び右側の袖口には、袖２２，２２が設けられている。袖２２の先端には、袖口２３が開いている。袖口２３には、挿通する着用者の手に対する袖口２３の緩み具合を調節可能な袖口調節部２４が設けられている。袖口調節部２４によって袖口２３の周方向の長さを縮小すれば、袖口２３が着用者の手首近傍に密着可能になる。
【００２０】
送風ファン４１は、ウェア本体２１の後側の下部に、左右方向において互いに間隔をあけて２つ設けられている。送風ファン４１は、不図示の電気コードを介して電源に接続されている。前述の電源は、ウェア本体２１の前側に設けられたポケットに収容可能である。着用者が空調ウェア５を着用した状態で、電源が作動すると、送風ファン４１は、空調ウェア５の外気をウェア本体２１と着用者との間に送風可能である。
【００２１】
ウェア本体２１の首周りの開口の周縁には、上側に立ち上がる襟５１が設けられている。襟５１の背中側の部分には、左右方向に分かれて、即ち左右方向において互いに間隔をあけて、一対の挿通孔５２−１，５２−２が形成されている。挿通孔（一方の挿通孔）５２−１から挿通孔（他方の挿通孔）５２−２に向かって、コード（紐部材）５３が襟５１の内側に挿通されている。コード５３の一方の端部（一端、一方の挿通孔から襟の外側に延びた紐部材）５４は、ストッパー５６で係止されることによって、挿通孔５２−１の外側で支持されている。コード５３の他方の端部（他方の挿通孔から襟の外側に延びた紐部材）５５は、襟５１の内側から挿通孔５２−２を通り、挿通孔５２−２から襟５１の外側に延びている。
【００２２】
端部５４にはストッパー５６が設けられ、端部５５にはストッパー５８が設けられている。ストッパー５６，５８はそれぞれ、端部５４，５５のそれぞれに挿通され、コード５３の長手方向に沿って移動可能且つ長手方向における所望の位置で端部５４，５５に係止可能になっている。より、ストッパー５６，５８では、コード５３の長手方向に沿って移動可能な解除状態と、端部５４，５５に係止可能な係止状態とを、ストッパー５６，５８のそれぞれに設けられたボタンやスイッチ等のワンタッチ操作で切り替えられる。
【００２３】
コード５３は、弾性変形可能なゴム紐で構成されている。即ち、コード５３は、着用状態において着用者の首の後側の形状に追従して変形可能であり、長手方向に沿って伸縮可能である。
【００２４】
以上説明した空調ウェア５は、ウェア本体２１と、送風ファン４１と、襟５１と、を備えている。襟５１の背中側には、左右方向に分かれて挿通孔５２−１，５２−２が形成されている。空調ウェア５は、コード５３と、端部５４，５５の双方に設けられて解除状態及び係止状態とが切り替わるストッパー５６，５８と、をさらに備えている。
【００２５】
図２に示すように、着用者１００が空調ウェア５を着用した着用状態において、コード５３が緩められた状態でストッパー５８が係止状態になると、襟５１と着用者１００の首部１０１との間に周方向の全体で隙間が生じる。このとき、空調ウェア５は、重力の影響を受け、着用者１００の肩部１０２及びその下方且つ図示略の肩甲骨近傍に密着し、基本密着状態になっている。
【００２６】
図２に示す着用状態から、着用者１００が襟５１の外側から端部５５を把持し、ストッパー５６の位置を留めつつ、図３に示すように、ストッパー５８の位置を首部１０１に近づけるように移動させると、左側及び右側の襟５１が首部１０１に略密着するように移動する。このような状態では、左側及び右側の襟５１の移動に伴って、空調ウェア５の肩部１０２にあたっていた部分等が首部１０１に近づきつつ肩部１０２から浮く。図示していないが空調ウェア５の肩部１０２及び首部１０１の後側にあたっていた部分は、後方に向かって撓み、肩部１０２及び首部１０１から離間する。これらの動きが空調ウェア５の全体に連動し、基本密着状態が崩れる。なお、必要に応じて、ストッパー５６，５８の両方を首部１０１に近づけるように移動させて基本密着状態を崩しても構わない。
【００２７】
図２及び図３では、空調ウェア５において同一の位置の点Ｃについて、基本密着状態における位置と、端部５５及びストッパー５８の操作によってストッパー５８が首部１０１に向かって移動した状態における位置が示されている。
【００２８】
空調ウェア５によれば、着用者１００が襟５１の外側からコード５３及びストッパー５８を操作することによって、ウェア本体２１の背中側から襟５１の背中側にかけて上下に亘る空気排出口が開口する。送風ファン４１によってウェア本体２１と着用者１００との間に送風された外気は、前述のように開口した空気排出口から着用者１００の後頭部から上方に排出されるので、外気が上昇する過程において着用者の上半身を冷却できる。一方、着用者１００が襟５１の外側からコード５３を把持しつつ、ストッパー５８の位置を首部１０１から遠ざけるように移動させれば、ウェア本体２１が基本密着状態に近づき、空気排出口を閉じつつ、襟５１の背中側に排出される外気の量を調節できる。したがって、空調ウェア５によれば、襟５１の後部での空気の排出操作を容易にし、着用状態で着用者１００が襟５１の後部からの外気の排出量を容易に調節できる。
【００２９】
また、空調ウェア５によれば、コード５３がゴム紐で構成されているので、基本密着状態のとき、コード５３が絞まって空気排出口６０が形成されている状態の双方においてコード５３を首部１０１の後側の部分になじませ、着用者１００に快適感を与えることができる。さらに、コード５３が弾性変形し、長手方向に沿って伸縮可能であることによって、ストッパー５８の一定量の移動に対し、左側及び右側の襟５１と首部１０１との密着及び離間の度合いを大きく変えることができる。
【００３０】
以上、本発明の好ましい実施形態について詳述したが、本発明は特定の実施形態に限定されない。本発明は、特許請求の範囲内に記載された本発明の要旨の範囲内において、変更可能である。
【００３１】
例えば、上述の実施形態では、端部５４，５５の双方にストッパー５６，５８が設けられているが、端部５４，５５の一方のみにストッパーが設けられていてもよい。即ち、ストッパー５６は設けられず、端部５４が何らかの形で結ばれている、或いは膨出していることによって、挿通孔５２−１か襟５１の内側に通ることはできず、端部５４は挿通孔５２−１の外側で支持されていてもよい。このような構成であっても、上述の実施形態と同様の作用効果が得られる。
【００３２】
また、上述の実施形態では、コード５３がゴム紐であったが、本発明の空調ウェアの紐部材はゴム紐のような弾性変形可能な部材に限定されない。例えば、図４に示すように、コード５３に替えて、弾性変形しない帯状の布部材（紐部材）６２が設けられていてもよい。布部材６２の一方の端部は、挿通孔５２−１から襟５１の外部に延び、襟５１の外側で適宜支持されている。布部材６２の他方の端部６３は、襟５１の外側でループ状に曲げられ、互いにマジックテープ（登録商標）によって係止可能であってもよい。つまり、端部６３のうち、挿通孔５２−１に近い側の部分の少なくとも片面に、マジックテープ（ストッパー）６４が設けられてもよい。端部６３のうち、挿通孔５２−１から布部材６２の長手方向に沿って最も離れた先端部の少なくとも片面に、マジックテープ６４に着脱自在のマジックテープ（ストッパー）６５が設けられていてもよい。
【符号の説明】
【００３３】
５  空調ウェア
４１  送風ファン
５１  襟
５２−１，５２−２  挿通孔（一対の挿通孔）
５３  コード（紐部材）
６２  布部材（紐部材）
６４，６５  マジックテープ（ストッパー）
【図１】
2020125551.tif 000003
【図２】
2020125551.tif 000004
【図３】
2020125551.tif 000005
【図４】
2020125551.tif 000006